(57)【特許請求の範囲】
【請求項１】
商品収納部及びこの商品収納部から突出する突片を有する包装容器を複数並べて収納可能な外箱に用いられる仕切り材であって、
前記外箱に収納された状態の包装容器同士の隙間に挿入される仕切り板と、
前記包装容器が収納された状態の外箱において前記突片が突出する側の前記商品収納部の外面とこれに対向する前記外箱の内面との間に生じる余剰空間に介在して前記商品収納部の前記余剰空間側への移動を制限する押さえ板と、
前記外箱とその外箱に収納された状態の包装容器との隙間に挿入され、前記仕切り板と前記押さえ板とを連結する側板と、
を備え、
前記押さえ板は、前記余剰空間に面する前記商品収納部の外面と直交する向きの折り目を介して前記側板から延びるように形成されており、その板厚面で前記商品収納部の外面に当接してその前記余剰空間側への移動を制限すること
を特徴とする仕切り材。
【請求項２】
前記余剰空間は、前記折り目に沿った平面視において前記突片によって前記包装容器ごとに長方形に区画され、
前記押さえ板は、前記長方形の長辺よりも長く形成されていること
を特徴とする請求項１に記載の仕切り材。
【請求項３】
前記押さえ板は、前記突片が突出する側の前記商品収納部の外面とこれに対向する前記外箱の内面との距離に対応する幅に形成されていること
を特徴とする請求項１又は請求項２に記載の仕切り材。
【請求項４】
前記側板は、前記折り目に沿った前記包装容器の長さに対応する長さに形成されていること
を特徴とする請求項１から請求項３までのいずれか１項に記載の仕切り材。
【請求項５】
前記仕切り板は、前記側板に形成された帯状部分の幅方向両側から延びるように形成されていること
を特徴とする請求項１から請求項４までのいずれか１項に記載の仕切り材。
【請求項６】
前記押さえ板は、前記側板に形成された帯状部分の幅方向両側から延びるように形成されていること
を特徴とする請求項１から請求項５までのいずれか１項に記載の仕切り材。
【請求項７】
前記押さえ板の介在しない余剰空間において前記商品収納部の前記余剰空間側への移動を制限する筒状の押さえ筒が前記側板に連結されていること
を特徴とする請求項１から請求項６までのいずれか１項に記載の仕切り材。
【請求項８】
１枚のシート状部材から形成されていること
を特徴とする請求項１から請求項７までのいずれか１項に記載の仕切り材。
【発明の詳細な説明】
【技術分野】
【０００１】
本発明は、商品収納部及びこの商品収納部から突出する突片を有する包装容器を複数並べて収納可能な外箱に用いられる仕切り材に関するものである。
【背景技術】
【０００２】
従来、商品が収納された包装容器を複数並べて収納可能な外箱においては、包装容器同士が接触しないように区画するための仕切り材が用いられることが一般的である（特許文献１参照）。
【０００３】
ところで、こうした包装容器としては、例えば透明のプラスチックシートによって形成されるクリアケースなどのように、商品収納部及びこの商品収納部から突出する突片を有する形状のものが挙げられる。このような形状の包装容器を外箱に収納する場合、突片の存在によって外箱内に余剰空間が生じ、輸送中の振動などによってこの余剰空間側へ商品収納部が移動しようとすることにより、突片が折れ曲がったり破損したりしてしまうことが考えられる。
【０００４】
そこで、特許文献２に記載の外箱では、余剰空間に面する蓋体の先端を延長して押さえ片を形成し、その押さえ片を商品収納部の上面に当接させることで商品収納部の上方への移動を制限するようにしている。具体的には、蓋体の先端から折り目を介して延びるように閉鎖片が形成され、更にこの閉鎖片の先端から折り目を介して延びるように押さえ片が形成されている。そして、この押さえ片の下面を商品収納部の上面に当接させることで余剰空間側への商品収納部の移動を制限するようにしている。
【先行技術文献】
【特許文献】
【０００５】
【特許文献１】実開平２−８７７２７号公報
【特許文献２】特開２００７−１１９０５８号公報
【発明の概要】
【発明が解決しようとする課題】
【０００６】
しかしながら、前述した特許文献２に記載の構成では、商品収納部が余剰空間側へ移動しようとする外力が押さえ片に加わると、押さえ片自体が湾曲しやすく、しかも折り目がヒンジとなって折れ曲がりやすいため、商品収納部の移動を制限するための強度が十分でないという問題がある。かといって、強度を確保するためにのり付けなどを必要とするような複雑な形状にすることはコストアップを招くため好ましくない。
【０００７】
本発明は、こうした問題にかんがみてなされたものであり、余剰空間側への商品収納部の移動を簡素な形状で制限することのできる仕切り材を提供することを目的としている。
【課題を解決するための手段】
【０００８】
上記目的を達成するためになされた本発明の請求項１に記載の仕切り材は、商品収納部及びこの商品収納部から突出する突片を有する包装容器を複数並べて収納可能な外箱に用いられるものである。そして、この仕切り材は、外箱に収納された状態の包装容器同士の隙間に挿入される仕切り板と、包装容器が収納された状態の外箱において突片が突出する側の商品収納部の外面とこれに対向する外箱の内面との間に生じる余剰空間に介在して商品収納部の余剰空間側への移動を制限する押さえ板と、外箱とその外箱に収納された状態の包装容器との隙間に挿入され、仕切り板と押さえ板とを連結する側板とを備えている。具体的には、押さえ板は、余剰空間に面する商品収納部の外面と直交する向きの折り目を介して側板から延びるように形成されており、その板厚面で商品収納部の外面に当接してその余剰空間側への移動を制限する。
【０００９】
このような仕切り材によれば、余剰空間側への商品収納部の移動を簡素な形状で制限することができる。すなわち、商品収納部の余剰空間側への移動を制限するための部材を仕切り材とは別に独立して配置しようとすると、例えば平板を縦向きに配置したような簡素な形状のものでは傾いたり倒れたりしやすく配置が不安定となるため、安定して配置されるように筒状のような立体的な（複雑な）形状とする必要がある。これに対し、本発明の仕切り材では、押さえ板は、外箱と包装容器との隙間に挿入される側板と連結されており、この側板は包装容器同士の隙間に挿入される仕切り板と連結されているため、押さえ板と側板との連結部分（折り目）の位置が安定する。このため、押さえ板自体の形状を、平板を縦向きに配置したような簡素な形状とすることが可能となる。
【００１０】
しかも、押さえ板は、その板厚面で商品収納部の外面に当接するように配置されているため、商品収納部が余剰空間側へ移動しようとする外力が押さえ板に加わっても湾曲しにくい。特に、押さえ板と側板との連結部分である折り目は、余剰空間に面する商品収納部の外面と直交する向きに形成されているため、外力が加わっても折り目がヒンジとなって折れ曲がってしまうといったことは生じにくい。したがって、押さえ板自体を簡素な形状としても、商品収納部が余剰空間側へ移動しようとする外力に対して高い強度を実現することができる。
【００１１】
ところで、押さえ板の長さ（側板から延びる方向の長さ）は、商品収納部の余剰空間側への移動を制限できる長さであればよいが、押さえ板の配置を安定させるためには例えば請求項２に記載のようにすることが好ましい。すなわち、請求項２に記載の仕切り材では、余剰空間は、折り目に沿った（換言すれば、余剰空間に面する商品収納部の外面と直交する向きの）平面視において突片によって包装容器ごとに長方形に区画され、押さえ板は、その長方形の長辺よりも長く形成されている。このような仕切り材によれば、押さえ板をその長方形の対角線寄りに位置させることができる。このため、押さえ板の配置（折り目を基準とする押さえ板の向き）を安定させることができる。
【００１２】
また、押さえ板の幅（折り目に沿った長さ）は、例えば請求項３に記載のように、突片が突出する側の商品収納部の外面とこれに対向する外箱の内面との距離に対応する幅に形成されているとよい。このような仕切り材によれば、商品収納部の余剰空間側への移動に伴い、押さえ板が商品収納部の外面とこれに対向する外箱の内面との間に挟まれた状態となる。このため、商品収納部の外面と外箱の内面との間隔を確実に保つことが可能となる。なお、ここでいう「対応する」とは、同じ長さだけでなく近似する長さも含める意味である。すなわち、本発明は、その効果を得るために寸法の厳密性が要求されるものではなく、同じ長さにした場合と同様の効果が得られる範囲であればよいことから、「対応する」と表現している。この点は以下に述べる請求項についても同様である。
【００１３】
一方、側板の長さは、例えば請求項４に記載のように、折り目に沿った包装容器の長さに対応する長さに形成されているとよい。このような仕切り材によれば、折り目に沿った側板の位置を安定させることができる。
【００１４】
ところで、仕切り板は、１つの仕切り材に１つのみ形成されるものとすることも可能であるが、例えば請求項５に記載のように、側板に形成された帯状部分の幅方向両側から延びるように形成されていてもよい。このような仕切り材によれば、１つの仕切り材で２箇所を仕切ることができる。
【００１５】
同様に、押さえ板は、１つの仕切り材に１つのみ形成されるものとすることも可能であるが、例えば請求項６に記載のように、側板に形成された帯状部分の幅方向両側から延びるように形成されていてもよい。このような仕切り材によれば、１つの仕切り材で２つの包装容器の商品収納部の移動を制限することができる。
【００１６】
また、例えば請求項７に記載の仕切り材では、押さえ板の介在しない余剰空間において商品収納部の余剰空間側への移動を制限する筒状の押さえ筒が側板に連結されている。このような仕切り材によれば、独立した（連結されていない）押さえ筒を用いる場合に比べて、押さえ筒の位置を安定させることができる。なお、押さえ筒自体が複雑な形状であっても、押さえ板を備えることにより押さえ筒の必要数を少なくすることができるという効果がある。
【００１７】
また、例えば請求項８に記載のように仕切り材が１枚のシート状部材から形成されていれば、製造コストを低減することができる。
【図面の簡単な説明】
【００１８】
【図１】実施形態の仕切り材１０の外観形状を示した斜視図である。
【図２】仕切り材１０の展開図である。
【図３】（ａ）は包装容器６０の外観形状を示した斜視図であり、（ｂ）は包装容器６０が収納された外箱９０の斜視図である。
【図４】外箱９０を透過した状態での仕切り材１０の使用状態を示した斜視図である。
【図５】（ａ）は押さえ筒５０を有しない構成の仕切り材１０の外観形状を示した斜視図であり、（ｂ）はその展開図である。
【図６】包装容器６０を４つ並べて収納する外箱９０に用いる仕切り材１０の外観形状を示した斜視図である。
【発明を実施するための形態】
【００１９】
以下、本発明が適用された実施形態について、図面を用いて説明する。
図１は実施形態の仕切り材１０の外観形状を示した斜視図であり、図２はこの仕切り材１０の展開図である。また、図３（ａ）は包装容器６０の外観形状を示した斜視図であり、図３（ｂ）は包装容器６０が収納された外箱９０の斜視図である。また、図４は外箱９０を透過した状態での仕切り材１０（図４においてはグレーで示している。）の使用状態を示した斜視図である。
【００２０】
図４に示すように、本実施形態の仕切り材１０は、包装容器６０を複数（本実施形態では３つ）並べて収納可能な外箱９０に用いられるものである。そこで、まずは包装容器６０及び外箱９０について説明する。
【００２１】
図３（ａ）に示すように、包装容器６０は、展開形状に型抜きされた１枚の透明のプラスチックシートが立体的に折り曲げされて形成されたもの（いわゆるクリアケース）であり、商品収納部７０及びこの商品収納部７０から突出する突片８０を有する。
【００２２】
商品収納部７０は、外形が概略直方体の箱状に形成された部分であり、その内部に商品（例えばヘアケア製品）を収納可能となっている。突片８０は、商品収納部７０の側面の１つ（本実施形態では最も面積の大きい面）を上方に延長した長方形の平板状のものである。
【００２３】
以下の説明では、突片８０の幅（延長方向と直交する側の辺の長さであり、商品収納部７０の幅に等しい。）をＬａ、商品収納部７０の厚み（突片８０の面と直交する方向の長さ）をＬｂ（本実施形態ではＬａ＞Ｌｂ）、商品収納部７０の高さをＬｃ、突片８０の高さをＬｄと称する。つまり、包装容器６０全体の高さはＬｃ＋Ｌｄと表される。なお、本実施形態では突片８０の形状を長方形としているが、これに限定されるものではない。例えば、延長方向先端が曲線状（円弧状や波状等）に形成されていてもよく、この場合には最も高い部分をＬｄとする。
【００２４】
一方、図３（ｂ）に示すように、外箱９０は、長方形の底面及び４つの側面で囲まれた収納空間を形成するとともに、上方開口面が１つの側面の上端に連結された蓋面で開閉可能な直方体の箱である。具体的には、収納空間の寸法（外箱９０の内寸）は、底面の短辺がＬａ、底面の長辺が３Ｌｂ（Ｌｂの３倍）、側面の高さがＬｃ＋Ｌｄに設計されている。つまり、３つの包装容器６０，６０，６０を厚み方向（突片８０の面と直交する方向）に並べて収納可能な必要最小限の大きさに設計されている。ただし、３つの包装容器６０，６０，６０が収納された状態の外箱９０において、商品収納部７０の上面７１（突片８０が突出する側の外面。換言すれば、突片８０の延長方向を向く外面。）とこれに対向する外箱９０の内面（蓋面の内面）との間には余剰空間が生じることになる。具体的には、余剰空間は、商品収納部７０の上面７１と直交する向きの平面視において、突片８０によって包装容器６０ごとに長辺Ｌａ、短辺Ｌｂの長方形に区画される。なお、包装容器６０を厚み方向（長さの短い方向）に並べて収納するのは、外箱９０が細長い形状になってしまうことを防ぐ（換言すれば、できるだけ立方体に近い形状にする）ためである。
【００２５】
次に、仕切り材１０について説明する。
図１及び図２に示す本実施形態の仕切り材１０は、３つの包装容器６０，６０，６０が収納された状態の外箱９０において、包装容器６０同士が接触しないように区画する（仕切る）機能に加え、商品収納部７０の余剰空間側への移動を制限する機能を有するものである（図４参照）。
【００２６】
この仕切り材１０は、１枚のシート状部材（本実施形態では厚紙）から形成されている。具体的には、仕切り材１０は、上下方向に延びる帯状の側板２０と、側板２０上部の幅方向両側（左右両側）から延びる帯状の２つの押さえ板３０，３０と、側板２０下部の幅方向両側（左右両側）から延びる帯状の２つの仕切り板４０，４０と、側板２０における上端に連結され、のりしろ５１でのり付けされることにより四角筒状に形成される押さえ筒５０とを備えている。つまり、２つの押さえ板３０，３０、２つの仕切り板４０，４０及び１つの押さえ筒５０が、側板２０によって連結されている。
【００２７】
側板２０は、３つの包装容器６０，６０，６０が収納された状態の外箱９０において、中央の包装容器６０と外箱９０との隙間に挿入される部分である。具体的には、側板２０は、上部（押さえ板３０，３０が幅方向両側に形成された帯状部分）と下部（仕切り板４０，４０が幅方向両側に形成された帯状部分）とで幅が異なっており、下部の幅がＬｂ（商品収納部７０の厚みと同じ長さ）に設計され、上部の幅がＬｂよりもやや大きく設計されている。また、側板２０は、長さがＬｃ＋Ｌｄ（外箱９０の収納空間の高さと同じ長さ）に設計されている。
【００２８】
押さえ板３０は、３つの包装容器６０，６０，６０が収納された状態の外箱９０において、両端の包装容器６０，６０の商品収納部７０上方に生じる余剰空間に介在する部分である。具体的には、押さえ板３０は、商品収納部７０の上面７１と直交する向きの折り目３１を介して側板２０から延びるように形成されており、その板厚面（下端面）３２で商品収納部７０の余剰空間側への移動を制限する。このため、押さえ板３０は、幅（上下方向の寸法）がＬｄ（突片８０の高さと同じ長さ）に設計されている。つまり、商品収納部７０の上面７１とこれに対向する外箱９０の内面との距離に対応する幅に形成されており、商品収納部７０の上面７１と外箱９０の内面との間に挟まれた状態で縦向きに配置される。また、押さえ板３０は、長さ（左右方向の突出寸法）が商品収納部７０の上面７１の対角線の長さ（Ｌａ2＋Ｌｂ2）1/2に設計されている。
【００２９】
仕切り板４０は、外箱９０に収納された状態の包装容器６０同士の隙間に挿入される部分である。具体的には、仕切り板４０は、商品収納部７０の上面７１と直交する向きの折り目４１を介して側板２０から延びるように形成されており、包装容器６０の商品収納部７０同士の接触を妨げる。このため、仕切り板４０は、長さ（左右方向の突出寸法）がＬａ（商品収納部７０の幅と同じ長さ）に設計され、幅（上下方向の寸法）がＬｃ（商品収納部７０の高さと同じ長さ）に設計されている。
【００３０】
押さえ筒５０は、３つの包装容器６０，６０，６０が収納された状態の外箱９０において、押さえ板３０，３０の介在しない中央の包装容器６０の商品収納部７０上方に生じる余剰空間において商品収納部７０の余剰空間側への移動を制限する部分である。具体的には、左右方向の筒幅がＬｂ、上下方向の筒幅がＬｄ、筒の軸方向の長さがＬａに設計されている。つまり、中央の包装容器６０の商品収納部７０上方に生じる余剰空間を埋める大きさに設計されている。
【００３１】
そして、図４に示すように、側板２０は、中央の包装容器６０の商品収納部７０と外箱９０との隙間に挿入され、その幅方向両側から延びる仕切り板４０，４０が、中央の包装容器６０と両端の各包装容器６０との間に挿入される。つまり、仕切り板４０，４０は、折り目４１で側板２０に対して直角に折り曲げられた状態（平面視でコの字状に折り曲げられた状態）となる（図１参照）。しかも、側板２０は、外箱９０の収納空間の高さと同じ長さに形成されているため、外箱９０において上下左右前後方向のいずれにも移動できない状態（位置が固定された状態）となる。
【００３２】
一方、押さえ板３０，３０は、折り目３１で側板２０に対して直角よりも大きい角度に折り曲げられた状態（斜め外方向を向いた状態）で、両端の包装容器６０，６０の各商品収納部７０上方に生じる余剰空間に介在する。前述したように外箱９０における側板２０の位置は固定されているため、押さえ板３０における基端部（折り目３１）の位置も固定された状態となる。また、押さえ板３０は、商品収納部７０の上面７１の対角線の長さ（換言すれば、上面７１における最長直線距離）に設計されているため、側板２０に対する押さえ板３０の角度がその対角線に沿った角度に維持される。そして、押さえ板３０の幅は余剰空間の高さに設計されているため、両端の包装容器６０，６０の各商品収納部７０が余剰空間側に移動することが防止される。加えて、押さえ筒５０が中央の包装容器６０の商品収納部７０上方に生じる余剰空間を埋めるように配置されるため、中央の包装容器６０の商品収納部７０が余剰空間側に移動することも防止される。
【００３３】
以上説明したように、本実施形態の仕切り材１０では、外箱９０における位置が固定された側板２０から延びるように押さえ板３０が形成されているため、押さえ板３０自体を平板状の簡素な形状としてもその位置を安定させることができる。そして、押さえ板３０は、その板厚面３２で商品収納部７０の余剰空間側への移動を制限するため、商品収納部７０が余剰空間側へ移動しようとする外力が加わっても湾曲しにくい。また、押さえ板３０と側板２０とを連結する折り目３１は、余剰空間に面する商品収納部７０の上面７１と直交する向きに形成されているため、外力が加わっても折り目３１がヒンジとなって折れ曲がってしまうといったことはない。したがって、簡素な形状でありながら外力に対する高い強度を実現することができ、商品収納部７０の余剰空間側への移動を確実に制限することができる。
【００３４】
また、押さえ板３０は、商品収納部７０の上面７１の対角線の長さに設計されているため、押さえ板３０の位置を対角線の位置に安定して維持することができる。このため、押さえ板３０の位置がずれることにより商品収納部７０の余剰空間側への移動が制限されない状態になってしまうことを防ぐことができる。
【００３５】
さらに、押さえ板３０は、商品収納部７０の上面７１とこれに対向する外箱９０の内面との距離に対応する幅に形成されており、商品収納部７０の上面７１と外箱９０の内面との間に挟まれた状態で配置されるため、商品収納部７０の上面７１と外箱９０の内面との間隔を確実に保つことができる。
【００３６】
一方、本実施形態の仕切り材１０は、２つの押さえ板３０，３０で両端の２つの包装容器６０の移動を制限し、残りの中央の包装容器６０については押さえ筒５０によって移動を制限するようにしているため、外箱９０に収納された３つの包装容器６０，６０，６０のすべてについて移動を制限することができる。特に、押さえ筒５０が側板２０に連結されているため、その位置を安定させることができる。
【００３７】
加えて、仕切り材１０が１枚のシート状部材から形成されているため、製造コストを低減することができる。
以上、本発明の実施形態について説明したが、本発明は、上記実施形態に限定されることなく、種々の形態を採り得ることは言うまでもない。
【００３８】
すなわち、上記実施形態では、押さえ筒５０が側板２０に連結された構成の仕切り材１０を例示したが、これに限定されるものではなく、例えば図５（ａ）の斜視図及び図５（ｂ）の展開図に示すように、押さえ筒５０を有しない構成とすることも可能となる。このような構成であれば、のり付け作業が不要となる分、製造コストを大幅に低減することができる。ただし、外箱９０の中央に収納される包装容器６０の移動を制限するには別の部材を用意する必要がある。
【００３９】
また、上記実施形態では、包装容器６０を３つ並べて収納する外箱９０に用いられる仕切り材１０を例示したが、これに限定されるものではない。例えば、上記実施形態では側板２０が包装容器６０の１つ分の厚みに対応する幅に設計されているが、図６に示すように、側板２０が包装容器６０の２つ分の厚みに対応する幅に設計されていれば、包装容器６０を４つ並べて収納する外箱９０に用いることができる。ただし、この場合には、図６に例示したような別部材（この例では仕切り板４０及び押さえ筒５０を一体にした部材）を用いる必要がある。
【００４０】
また、上記実施形態では、押さえ板３０及び仕切り板４０を２つずつ備えているが、包装容器６０を２つ並べて収納する外箱９０であれば、仕切り板４０は１つでよい。また、押さえ筒５０を備えていれば押さえ板３０も１つでよい。ただし、押さえ板３０を２つ備えて押さえ筒５０を有しない構成とした方が製造コストを低減することができる。
【００４１】
また、上記実施形態では、１枚の厚紙で形成された仕切り材１０を例示したが、これに限定されるものではなく、厚紙以外の紙や、紙以外のシート状部材であってもよい。また、複数のシート状部材をつなぎ合わせて形成することも可能である。
【００４２】
また、本発明の仕切り材は、上記実施形態で例示した寸法に限定されるものではない。例えば仕切り板４０の幅や長さは、包装容器６０同士の接触が妨げられる長さであれば、短くしても同様の効果が得られる。また、例えば側板２０の長さを外箱９０の収納空間の高さよりも短くしてもよい。
【００４３】
また、例えば押さえ板３０の長さを商品収納部７０の上面７１の対角線の長さよりも短くしてもよい。ただし、押さえ板３０の位置がずれることにより商品収納部７０の余剰空間側への移動が制限されない状態になってしまうことを防ぐためには、少なくとも商品収納部７０の上面７１の長辺よりも長くすることが好ましい。
【００４４】
また、例えば押さえ板３０の幅を、商品収納部７０の上面７１とこれに対向する外箱９０の内面との距離に対応する幅よりも短くしてもよい。具体的には、押さえ板３０の上方（外箱９０の内面側）への移動が側板２０により制限されていれば、押さえ板３０の上端面が外箱９０の内面に当接しなくても商品収納部７０の余剰空間側への移動を制限することができる。
【００４５】
また、本発明の仕切り材を用いる対象となる包装容器は、上記実施形態で例示した形状の包装容器６０に限定されるものではなく、例えば商品収納部の側面が曲面状に形成されていてもよい。
【符号の説明】
【００４６】
１０…仕切り材、２０…側板、３０…押さえ板、３１…折り目、３２…板厚面、４０…仕切り板、４１…折り目、５０…押さえ筒、６０…包装容器、７０…商品収納部、７１…上面、８０…突片、９０…外箱
【図１】
0005462075.tif 000002
【図２】
0005462075.tif 000003
【図３】
0005462075.tif 000004
【図５】
0005462075.tif 000005
【図６】
0005462075.tif 000006
【図４】
0005462075.tif 000007